(57)【要約】【課題】健康機器を複数の利用者で共用する場合に、各利用者の測定データを利用者個人の識別情報の秘匿性を損なうことなく安全に伝送し蓄積できるようにする。【解決手段】複数の利用者が共用するヘルスケアスポットＨＳと、ＰＨＲサーバＳＶとの間をネットワークを介して接続したシステムにあって、ＰＨＲサーバＳＶにおいて、一人の利用者による１つのヘルスケアスポットの利用に対し利用セッションを開設し、この利用セッションにより受付番号、カード番号、スポット番号、利用者ＩＤが関連付けられた状態で管理する。また、利用セッションは、利用者によるヘルスケアスポットＨＳの利用が終了し、その旨が受付端末ＲＴからＰＨＲサーバＳＶに通知された時点でクローズし、受付番号を無効にする。【選択図】図１
2014215688.tif 000002
【特許請求の範囲】
【請求項１】
複数の健康機器が設置されたヘルスケアスポットと、このヘルスケアスポットとの間で通信ネットワークを介してデータ伝送が可能な健康情報管理装置とを具備し、
前記健康情報管理装置は、
第１の識別情報が割り当てられた利用者の端末から前記ヘルスケアスポットの利用申込要求を受信した場合に、固有の第２の識別情報を発行して前記要求元の利用者端末に返信すると共に前記ヘルスケアスポットへ送信する手段と、
前記利用申込要求の受信に応じて、当該要求元の利用者による前記ヘルスケアスポットの利用状況を管理するための利用セッションを開設し、当該利用セッションにより前記第１の識別情報と前記第２の識別情報とを関連付ける手段と
を備え、
前記ヘルスケアスポットは、
前記健康情報管理装置から送信された第２の識別情報を受信して保存する手段と、
前記保存された第２の識別情報に対応する利用者が来訪した場合に、当該利用者に対しヘルスケアスポット内で固有の第３の識別情報を割り当て、当該第３の識別情報を前記保存された第２の識別情報と共に前記健康情報管理装置へ送信する手段と、
前記健康機器により測定された前記利用者の健康情報を、当該利用者に割り当てられた前記第３の識別情報と共に前記健康情報管理装置へ送信する手段と、
前記利用者によるヘルスケアスポットの利用が終了した場合に、前記第３の識別情報の割り当てを解除し、利用終了通知を前記第２の識別情報と共に前記健康情報管理装置へ送信する手段と
を備え、
前記健康情報管理装置は、
前記ヘルスケアスポットから前記第２の識別情報と共に送られた第３の識別情報を、前記利用セッションにより前記第１及び第２の識別情報と関連付ける手段と、
前記ヘルスケアスポットから健康情報が送られた場合に、当該健康情報と共に送られた第３の識別情報をもとに前記利用セッションから第１の識別情報を特定し、この特定された第１の識別情報と関連付けて前記健康情報をデータベースに格納する手段と、
前記ヘルスケアスポットから利用終了通知が送られた場合に、当該利用終了通知と共に送られた第２の識別情報に対応する利用セッションを解除する手段と
を備えることを特徴とする健康情報管理システム。
【請求項２】
それぞれ複数の健康機器が設置された複数のヘルスケアスポットと、これらのヘルスケアスポットとの間でそれぞれ通信ネットワークを介してデータ伝送が可能な健康情報管理装置とを具備し、
前記健康情報管理装置は、
第１の識別情報が割り当てられた利用者の端末から前記ヘルスケアスポットの利用申込要求を受信した場合に、当該利用申込要求に含まれる情報をもとに利用を希望するヘルスケアスポットを特定する手段と、
前記要求元の利用者に対し固有の第２の識別情報を発行して前記要求元の利用者の端末に返送すると共に、前記第２の識別情報を前記特定されたヘルスケアスポットへ送信する手段と、
前記利用申込要求の受信に応じて、当該要求元の利用者による前記特定されたヘルスケアスポットの利用状況を管理するための利用セッションを開設し、当該利用セッションにより前記第１の識別情報と前記第２の識別情報を関連付ける手段と
を備え、
前記ヘルスケアスポットは、
前記健康情報管理装置から送信された第２の識別情報を受信して保存する手段と、
前記保存された第２の識別情報に対応する利用者が来訪した場合に、当該利用者に対しヘルスケアスポット内で固有の第３の識別情報を割り当て、当該第３の識別情報を、前記保存された第２の識別情報及び当該ヘルスケアスポットを識別するための第４の識別情報と共に、前記健康情報管理装置へ送信する手段と、
前記健康機器により測定された前記利用者の健康情報を、当該利用者に割り当てられた前記第３の識別情報及び前記第４の識別情報と共に、前記健康情報管理装置へ送信する手段と、
前記利用者によるヘルスケアスポットの利用が終了した場合に、前記第３の識別情報の割り当てを解除し、利用終了通知を前記第２及び第４の識別情報と共に前記健康情報管理装置へ送信する手段と
を備え、
前記健康情報管理装置は、
前記ヘルスケアスポットから送られた第３及び第４の識別情報を、前記利用セッションにより前記第１及び第２の識別情報と関連付ける手段と、
前記ヘルスケアスポットから健康情報が送られた場合に、当該健康情報と共に送られた第３及び第４の識別情報をもとに前記利用セッションから第１の識別情報を特定し、この特定された第１の識別情報と関連付けて前記健康情報をデータベースに格納する手段と、
前記ヘルスケアスポットから利用終了通知が送られた場合に、当該利用終了通知と共に送られた第２及び第４の識別情報に対応する利用セッションを解除する手段と
を備えることを特徴とする健康情報管理システム。
【請求項３】
前記ヘルスケアスポットを特定する手段は、利用者の端末から送られた利用申込要求に含まれる現在位置、住所、地名又は建物名を表す情報をもとに最寄りの或いは対応するヘルスポイントを特定することを特徴とする請求項２記載の健康情報管理システム。
【請求項４】
複数の健康機器が設置されたヘルスケアスポットとの間で通信ネットワークを介してデータ伝送が可能な健康情報管理装置であって、
第１の識別情報が割り当てられた利用者の端末から前記ヘルスケアスポットの利用申込要求を受信した場合に、固有の第２の識別情報を発行して前記要求元の利用者端末に返信すると共に前記ヘルスケアスポットへ送信する手段と、
前記利用申込要求の受信に応じて、当該要求元の利用者による前記ヘルスケアスポットの利用を管理するための利用セッションを開設し、当該利用セッションにより前記第１の識別情報と前記第２の識別情報とを関連付ける手段と、
前記利用者がヘルスケアスポットを訪れた場合に、当該ヘルスケアスポットにおいて前記利用者に対し割り当てられたヘルスケアスポット内で固有の第３の識別情報を、当該ヘルスケアポイントから受信し、この受信された第３の識別情報を前記利用セッションにより前記第１及び第２の識別情報と関連付ける手段と、
前記ヘルスケアスポットから健康情報が送られた場合に、当該健康情報と共に送られた第３の識別情報をもとに前記利用セッションから第１の識別情報を特定し、この特定された第１の識別情報と関連付けて前記健康情報をデータベースに格納する手段と、
前記ヘルスケアスポットから利用終了通知が送られた場合に、当該利用終了通知と共に送られた第２の識別情報に対応する利用セッションを解除する手段と
を具備することを特徴とする健康情報管理装置。
【請求項５】
それぞれ複数の健康機器が設置された複数のヘルスケアスポットとの間でそれぞれ通信ネットワークを介してデータ伝送が可能な健康情報管理装置であって、
第１の識別情報が割り当てられた利用者の端末から前記ヘルスケアスポットの利用申込要求を受信した場合に、当該利用申込要求に含まれる情報をもとに利用者が希望するヘルスケアスポットを特定する手段と、
前記要求元の利用者に対し固有の第２の識別情報を発行して前記要求元の利用者の端末に返送すると共に、前記第２の識別情報を前記特定されたヘルスケアスポットへ送信する手段と、
前記利用申込要求の受信に応じて、当該要求元の利用者による前記特定されたヘルスケアスポットの利用状況を管理するための利用セッションを開設し、当該利用セッションにより前記第１の識別情報と前記第２の識別情報を関連付ける手段と、
前記利用者がヘルスケアスポットを訪れた場合に、当該ヘルスケアスポットにおいて前記利用者に対し割り当てられたヘルスケアスポット内で固有の第３の識別情報と、当該ヘルスケアスポットを識別するための第４の識別情報を、当該ヘルスケアポイントから受信し、この受信された第３及び第４の識別情報を前記利用セッションにより前記第１及び第２の識別情報と関連付ける手段と、
前記ヘルスケアスポットから健康情報が送られた場合に、当該健康情報と共に送られた第３及び第４の識別情報をもとに前記利用セッションから第１の識別情報を特定し、この特定された第１の識別情報と関連付けて前記健康情報をデータベースに格納する手段と、
前記ヘルスケアスポットから利用終了通知が送られた場合に、当該利用終了通知と共に送られた第２の識別情報に対応する利用セッションを解除する手段と
を具備することを特徴とする健康情報管理装置。
【請求項６】
複数の健康機器が設置されたヘルスケアスポットと、このヘルスケアスポットとの間で通信ネットワークを介してデータ伝送が可能な健康情報管理装置とを具備する健康情報管理システムが実行する健康情報管理方法であって、
前記健康情報管理装置が、第１の識別情報が割り当てられた利用者の端末から前記ヘルスケアスポットの利用申込要求を受信した場合に、固有の第２の識別情報を発行して前記要求元の利用者端末に返信すると共に前記ヘルスケアスポットへ送信する過程と、
前記健康情報管理装置が、前記利用申込要求の受信に応じて、当該要求元の利用者による前記ヘルスケアスポットの利用状況を管理するための利用セッションを開設し、当該利用セッションにより前記第１の識別情報と前記第２の識別情報とを関連付ける過程と、
前記ヘルスケアスポットが、前記健康情報管理装置から送信された第２の識別情報を受信して保存する過程と、
前記ヘルスケアスポットが、前記保存された第２の識別情報に対応する利用者が来訪した場合に、当該利用者に対しヘルスケアスポット内で固有の第３の識別情報を割り当て、当該第３の識別情報を前記保存された第２の識別情報と共に前記健康情報管理装置へ送信する過程と、
前記ヘルスケアスポットが、前記健康機器により測定された前記利用者の健康情報を、当該利用者に割り当てられた前記第３の識別情報と共に前記健康情報管理装置へ送信する過程と、
前記ヘルスケアスポットが、前記利用者によるヘルスケアスポットの利用が終了した場合に、前記第３の識別情報の割り当てを解除し、利用終了通知を前記第２の識別情報と共に前記健康情報管理装置へ送信する過程と
前記健康情報管理装置が、前記ヘルスケアスポットから前記第２の識別情報と共に送られた第３の識別情報を、前記利用セッションにより前記第１及び第２の識別情報と関連付ける過程と、
前記健康情報管理装置が、前記ヘルスケアスポットから健康情報が送られた場合に、当該健康情報と共に送られた第３の識別情報をもとに前記利用セッションから第１の識別情報を特定し、この特定された第１の識別情報と関連付けて前記健康情報をデータベースに格納する過程と、
前記健康情報管理装置が、前記ヘルスケアスポットから利用終了通知が送られた場合に、当該利用終了通知と共に送られた第２の識別情報に対応する利用セッションを解除する過程と
を具備することを特徴とする健康情報管理方法。
【請求項７】
それぞれ複数の健康機器が設置された複数のヘルスケアスポットと、これらのヘルスケアスポットとの間でそれぞれ通信ネットワークを介してデータ伝送が可能な健康情報管理装置とを具備する健康情報管理システムが実行する健康情報管理方法であって、
前記健康情報管理装置が、第１の識別情報が割り当てられた利用者の端末から前記ヘルスケアスポットの利用申込要求を受信した場合に、当該利用申込要求に含まれる情報をもとに利用を希望するヘルスケアスポットを特定する過程と、
前記健康情報管理装置が、
前記要求元の利用者に対し固有の第２の識別情報を発行して前記要求元の利用者の端末に返送すると共に、前記第２の識別情報を前記特定されたヘルスケアスポットへ送信する過程と、
前記健康情報管理装置が、前記利用申込要求の受信に応じて、当該要求元の利用者による前記特定されたヘルスケアスポットの利用状況を管理するための利用セッションを開設し、当該利用セッションにより前記第１の識別情報と前記第２の識別情報を関連付ける過程と、
前記ヘルスケアスポットが、前記健康情報管理装置から送信された第２の識別情報を受信して保存する過程と、
前記ヘルスケアスポットが、前記保存された第２の識別情報に対応する利用者が来訪した場合に、当該利用者に対しヘルスケアスポット内で固有の第３の識別情報を割り当て、当該第３の識別情報を、前記保存された第２の識別情報及び当該ヘルスケアスポットを識別するための第４の識別情報と共に、前記健康情報管理装置へ送信する過程と、
前記ヘルスケアスポットが、前記健康機器により測定された前記利用者の健康情報を、当該利用者に割り当てられた前記第３の識別情報及び前記第４の識別情報と共に、前記健康情報管理装置へ送信する過程と、
前記ヘルスケアスポットが、前記利用者によるヘルスケアスポットの利用が終了した場合に、前記第３の識別情報の割り当てを解除し、利用終了通知を前記第２及び第４の識別情報と共に前記健康情報管理装置へ送信する過程と
前記健康情報管理装置が、前記ヘルスケアスポットから送られた第３及び第４の識別情報を、前記利用セッションにより前記第１及び第２の識別情報と関連付ける過程と、
前記健康情報管理装置が、前記ヘルスケアスポットから健康情報が送られた場合に、当該健康情報と共に送られた第３及び第４の識別情報をもとに前記利用セッションから第１の識別情報を特定し、この特定された第１の識別情報と関連付けて前記健康情報をデータベースに格納する過程と、
前記健康情報管理装置が、前記ヘルスケアスポットから利用終了通知が送られた場合に、当該利用終了通知と共に送られた第２及び第４の識別情報に対応する利用セッションを解除する過程と
を具備することを特徴とする健康情報管理方法。
【請求項８】
請求項４又は５記載の健康情報管理装置が具備する各手段が行う処理を、当該健康情報管理装置が備えるコンピュータに実行させるプログラム。
【発明の詳細な説明】
【技術分野】
【０００１】
この発明は、健康機器により測定された利用者の健康情報を通信ネットワークを介してサーバに伝送し管理する健康情報管理システムとその装置、方法及びプログラムに関する。
【背景技術】
【０００２】
一般に、個人の健康に関する情報は、カルテ情報は医療機関、健診の情報は健診機関や保険者、運動情報はフィットネスクラブ、体重等の情報は家庭というように、様々な場所に散在している。このため、個人が自身の健康情報を活用しようとすると、例えば該当する情報をそれぞれの機関等が運用するサーバ等にアクセスして取得しなければならず、手続や操作がきわめて面倒である。
【０００３】
そこで、個人の健康に関する様々な情報を一元的に管理・活用することを可能にするＰＨＲ（Personal Health Record）システムが提案されている（例えば非特許文献１を参照）。ＰＨＲシステムを利用すれば、個人が自らの意思で自身の健康に関する複数種類の情報を何時でもどこでも簡単に取得できるようになり、これにより自身の健康状態を適切に把握して健康増進や生活習慣病予防に役立てることが可能となる。
【０００４】
また、より多くの人がＰＨＲサービスを利用できるようにするために、健康機器を公共施設等の共有スペースに配置し、複数の人がこの健康機器を共用して測定データをＰＨＲサーバに蓄積できるようにすることも提案されている（例えば非特許文献２を参照）。
【先行技術文献】
【非特許文献】
【０００５】
【非特許文献１】「Creative Healthサービス」、ＮＴＴデータ、インターネット＜URL: http://www.creativehealth.jp/ap/a/a0000.jsp＞
【非特許文献２】「スポットチェックモニタ」、インターネット＜URL: http://www.healthcare.omron.co.jp/corp/news/detail/173＞
【発明の概要】
【発明が解決しようとする課題】
【０００６】
ところが、非特許文献２に記載されたシステムでは、利用者が健康機器を利用する際に、例えばバーコードリーダにより利用者及び測定スタッフのバーコードを読み取ることで両者のＩＤを特定し、この特定された各ＩＤを測定データと共にサーバへ伝送するものとなっている。このため、利用者のＩＤの秘匿性が保持されず、利用者ＩＤのなりすましや盗用の心配があった。
【０００７】
この発明は上記事情に着目してなされたもので、その目的とするところは、健康機器を複数の利用者で共用する場合に、各利用者の測定データを利用者個人の識別情報の秘匿性を損なうことなく安全に伝送し蓄積できるようにした健康情報管理システムとその装置、方法及びプログラムを提供することにある。
【課題を解決するための手段】
【０００８】
上記目的を達成するためにこの発明の第１の観点は、複数の健康機器が設置されたヘルスケアスポットと、このヘルスケアスポットとの間で通信ネットワークを介してデータ伝送が可能な健康情報管理装置とを具備する健康情報管理システム又はその方法にあって、以下のような手段又は過程を備えたものである。  
上記健康情報管理装置は、第１の識別情報が割り当てられた利用者の端末から上記ヘルスケアスポットの利用申込要求を受信した場合に、固有の第２の識別情報を発行して上記要求元の利用者端末に返信すると共に上記ヘルスケアスポットへ送信する手段又は過程と、上記利用申込要求の受信に応じて、当該要求元の利用者による上記ヘルスケアスポットの利用状況を管理するための利用セッションを開設し、当該利用セッションにより上記第１の識別情報と上記第２の識別情報とを関連付ける手段又は過程を備える。  
一方、上記ヘルスケアスポットは、上記健康情報管理装置から送信された第２の識別情報を受信して保存した後、この保存された第２の識別情報に対応する利用者が来訪した場合に、当該利用者に対しヘルスケアスポット内で固有の第３の識別情報を割り当て、当該第３の識別情報を上記保存された第２の識別情報と共に上記健康情報管理装置へ送信する手段又は過程と、上記健康機器により測定された上記利用者の健康情報を、当該利用者に割り当てられた上記第３の識別情報と共に上記健康情報管理装置へ送信する手段又は過程と、上記利用者によるヘルスケアスポットの利用が終了した場合に、上記第３の識別情報の割り当てを解除し、利用終了通知を上記第２の識別情報と共に上記健康情報管理装置へ送信する手段又は過程とを備える。  
さらに上記健康情報管理装置は、上記ヘルスケアスポットから上記第２の識別情報と共に送られた第３の識別情報を、上記利用セッションにより上記第１及び第２の識別情報と関連付ける手段又は過程と、上記ヘルスケアスポットから健康情報が送られた場合に、当該健康情報と共に送られた第３の識別情報をもとに上記利用セッションから第１の識別情報を特定し、この特定された第１の識別情報と関連付けて上記健康情報をデータベースに格納する手段又は過程と、上記ヘルスケアスポットから利用終了通知が送られた場合に、当該利用終了通知と共に送られた第２の識別情報に対応する利用セッションを解除する手段又は過程を備える。
【０００９】
この発明の第２の観点は、それぞれ複数の健康機器が設置された複数のヘルスケアスポットと、これらのヘルスケアスポットとの間でそれぞれ通信ネットワークを介してデータ伝送が可能な健康情報管理装置とを具備する健康情報管理システム又は方法にあって、以下のような手段又は過程を備えたものである。  
上記健康情報管理装置は、第１の識別情報が割り当てられた利用者の端末から上記ヘルスケアスポットの利用申込要求を受信した場合に、当該利用申込要求に含まれる情報をもとに利用を希望するヘルスケアスポットを特定する手段又は過程と、上記要求元の利用者に対し固有の第２の識別情報を発行して上記要求元の利用者の端末に返送すると共に、上記第２の識別情報を上記特定されたヘルスケアスポットへ送信する手段又は過程と、上記利用申込要求の受信に応じて、当該要求元の利用者による上記特定されたヘルスケアスポットの利用状況を管理するための利用セッションを開設し、当該利用セッションにより上記第１の識別情報と上記第２の識別情報を関連付ける手段又は過程とを備える。  
一方、上記ヘルスケアスポットは、上記健康情報管理装置から送信された第２の識別情報を受信して保存する手段又は過程と、上記保存された第２の識別情報に対応する利用者が来訪した場合に、当該利用者に対しヘルスケアスポット内で固有の第３の識別情報を割り当て、当該第３の識別情報を、上記保存された第２の識別情報及び当該ヘルスケアスポットを識別するための第４の識別情報と共に、上記健康情報管理装置へ送信する手段又は過程と、上記健康機器により測定された上記利用者の健康情報を、当該利用者に割り当てられた上記第３の識別情報及び上記第４の識別情報と共に、上記健康情報管理装置へ送信する手段又は過程と、上記利用者によるヘルスケアスポットの利用が終了した場合に、上記第３の識別情報の割り当てを解除し、利用終了通知を上記第２及び第４の識別情報と共に上記健康情報管理装置へ送信する手段又は過程とを備える。
【００１０】
さらに上記健康情報管理装置は、上記ヘルスケアスポットから送られた第３及び第４の識別情報を、上記利用セッションにより上記第１及び第２の識別情報と関連付ける手段又は過程と、上記ヘルスケアスポットから健康情報が送られた場合に、当該健康情報と共に送られた第３及び第４の識別情報をもとに上記利用セッションから第１の識別情報を特定し、この特定された第１の識別情報と関連付けて上記健康情報をデータベースに格納する手段又は過程と、上記ヘルスケアスポットから利用終了通知が送られた場合に、当該利用終了通知と共に送られた第２及び第４の識別情報に対応する利用セッションを解除する手段又は過程とを備える。
【００１１】
また、この発明の第２の観点は、上記ヘルスケアスポットを特定する手段又は過程において、利用者の端末から送られた利用申込要求に含まれる現在位置、住所、地名又は建物名を表す情報をもとに最寄りの或いは対応するヘルスポイントを特定することも特徴とする。
【発明の効果】
【００１２】
この発明の第１の観点によれば、ヘルスケアスポットにおいて測定された利用者の健康情報は、当該ヘルスケアスポット内において利用者に固有に割り当てられた第３の識別情報と関連付けられて伝送されることになる。このため、健康情報の伝送に際し、利用者を特定する第１の識別情報やヘルスケアスポットを利用中の利用者を識別する第２の識別情報が漏洩する心配がない。しかも、健康情報管理装置では、一人の利用者による１つのヘルスケアスポットの利用に対し利用セッションが開設され、この利用セッションにより上記第１、第２及び第３の識別情報が相互に関連付けられた状態で管理される。このため、上記健康情報を第１の識別情報や第２の識別情報を用いずに伝送しても、健康情報管理装置において、当該健康情報を利用者の第１の識別情報と関連付けた状態で確実に蓄積管理することができる。
【００１３】
さらに、利用者によるヘルスケアスポットの利用が終了し、その旨が第２の識別情報と共にヘルスケアスポットから健康情報管理装置に通知されると、この第２の識別情報に対応する利用セッションがクローズされ、当該第２の識別情報は無効化される。このため、たとえヘルスケアスポットにおいて利用者の第２の識別情報が盗み見られても、この第２の識別情報を使用して当該利用者の健康情報が他者により閲覧される心配はない。
【００１４】
この発明の第２の観点によれば、健康情報管理装置では、利用セッションにおいて、ヘルスケアスポットを識別する第４の識別情報が第１、第２及び第３の識別情報と関連付けられて管理される。このため、ヘルスケアスポットが複数ある場合でも、各ヘルスケアスポットからそれぞれ伝送される利用者の健康情報を、第３及び第４の識別情報の組み合わせにより正確に特定してデータベースに蓄積することが可能となる。
【００１５】
また、利用者の端末から送られる利用申込要求に、利用者の現在位置又は住所、ヘルスケアスポットが存在する地名又は建物名を表す情報が含まれている場合には、これらの情報をもとに最寄りの或いは対応するヘルスポイントが特定される。このため、利用者が利用申込時にヘルスケアスポットを特に指定しなくても、利用対象として適当なヘルスケアスポットが自動的に特定され、当該ヘルスケアスポットにエントリ情報を設定することが可能となる。
【００１６】
すなわちこの発明の各観点によれば、健康機器を複数の利用者で共用する場合に、各利用者の測定データを利用者個人の識別情報の秘匿性を損なうことなく安全に伝送し蓄積できるようにした健康情報管理システムとその装置、方法及びプログラムを提供することができる。
【図面の簡単な説明】
【００１７】
【図１】この発明の一実施形態に係る健康情報管理システムの全体構成を示す図。
【図２】図１に示したシステムの中核をなすＰＨＲサーバの機能構成を示すブロック図。
【図３】図１に示したシステムで使用される受付端末の機能構成を示すブロック図。
【図４】図１に示したシステムで使用される測定用端末の機能構成を示すブロック図。
【図５】図１に示したシステムにおけるデータの流れとＰＨＲサーバ、受付端末及び測定用端末の処理手順及び処理内容を示すシーケンス図。
【図６】図１に示したシステムにおけるデータの流れとＰＨＲサーバ、受付端末及び測定用端末の処理手順及び処理内容を示すシーケンス図。
【図７】利用者端末によるサービス利用申し込の手順を説明するための図。
【図８】利用者端末からのサービス利用申し込みを受付けたときに、受付端末の表示画面に表示される管理情報を示す図。
【図９】受付端末で利用者のエントリを選択したときに、受付端末の表示画面に表示される管理情報を示す図。
【図１０】受付端末で利用者に対するＩＣカードの貸し出し操作をしたときに、受付端末の表示画面に表示される管理情報を示す図。
【図１１】受付端末で測定開始操作が行われたときに、受付端末の表示画面に表示される管理情報を示す図。
【図１２】利用者が測定中の状態で受付端末の表示画面に表示される管理情報を示す図。
【図１３】受付端末でＩＣカードの返却操作を行ったときに、受付端末の表示画面に表示される管理情報を示す図。
【図１４】受付端末で測定終了操作が行われたときに、受付端末の表示画面に表示される管理情報を示す図。
【発明を実施するための形態】
【００１８】
以下、図面を参照してこの発明に係わる実施形態を説明する。  
［一実施形態］
（構成）
図１は、この発明の一実施形態に係る健康情報管理システムの全体構成図である。  
この実施形態に係る健康情報管理システムは、システムの中核をなす健康情報管理装置としてのＰＨＲサーバＳＶと、利用者が使用する利用者端末ＵＴ１〜ＵＴｎと、ヘルスケアスポットＨＳに設置される受付端末ＲＴと、同じくヘルスケアスポットＨＳに設置される複数の健康機器ＶＤ１〜ＶＤｋ及び測定用端末ＳＴ１〜ＳＴｍとを備えている。なお、ヘルスケアスポットＨＳはサービスエリア内の複数箇所に設置されるが、図示の簡単のため１つのみ示している。
【００１９】
（１）利用者端末
利用者端末ＵＴ１〜ＵＴｎは、例えばフィーチャーフォン等と呼ばれる簡易な携帯電話機やスマートフォン、タブレット型端末からなり、通話機能に加えＳＭＳ（Short Message Service）機能を備えている。なお、電子メールを送受信するメーラ及びブラウザを備えていてもよく、さらにＧＰＳ（Global Positioning System）を利用した位置計測機能を備えていてもよい。利用者端末ＵＴ１〜ＵＴｎは、モバイルネットワークＮＷ２、及びインターネットを含む広域エリアネットワーク（ＷＡＮ：Wide Area Network）ＮＷ１を介して、ＰＨＲサーバＳＶとの間で通信を行う機能を有する。
【００２０】
（２）ＰＨＲサーバ
ＰＨＲサーバＳＶは、例えば健康サービス事業者がＷｅｂ上で管理運用するもので、以下のように構成される。図２はその機能構成を示すブロック図である。  
すなわち、ＰＨＲサーバＳＶは、制御ユニット１と、広域エリアネットワーク用の通信インタフェース２と、記憶ユニット３を備えている。
【００２１】
通信インタフェース２は、上記利用者端末ＵＴ１〜ＵＴｎとの間、ヘルスケアスポットＨＳの受付端末ＲＴ及び測定用端末ＳＴ１〜ＳＴｍとの間で、広域エリアネットワークＮＷ１により規定されるプロトコルに従いデータ通信を行う。
【００２２】
記憶ユニット３には、利用者情報データベース（利用者情報ＤＢ）３１と、ヘルスケアスポット情報データベース（ヘルスケアスポット情報ＤＢ）３２と、利用セッション情報記憶部３３と、健康情報データベース（健康情報ＤＢ）３４が設けられている。
【００２３】
利用者情報ＤＢ３１には、ＰＨＲサービスに対し利用登録がなされた利用者の第１の識別情報（利用者ＩＤ）に関連付けて、当該利用者が所有する利用者端末ＵＴ１〜ＵＴｎの携帯電話番号と、認証に必要な情報が記憶される。なお、携帯電話番号に加えて、利用者の氏名等の属性情報やＰＨＲサービスの利用条件等を表す情報を記憶してもよい。
【００２４】
ヘルスケアスポット情報ＤＢ３２には、ヘルスケアスポットＨＳを識別するための第４の識別情報（スポット番号）に関連付けて、当該ヘルスケアスポットＨＳの名称、位置情報、当該ヘルスケアスポットＨＳに設置されている健康機器ＶＤ１〜ＶＤｋの機種等を表す情報等が記憶されている。位置情報としては、例えば緯度経度、住所、地名、建物名が用いられる。
【００２５】
利用セッション情報記憶部３３は、利用セッションの管理情報を記憶するために用いられる。利用セッションは、利用者がヘルスケアスポットＨＳの利用を開始してから終了するまでの期間に、当該利用者によるヘルスケアスポットＨＳの利用状況を管理するもので、第１の識別情報としての利用者ＩＤと、第２の識別情報としての受付番号（エントリコード）と、第３の識別情報としてのカード番号と、第４の識別情報としてのスポット番号と、受付時刻と、測定開始時刻と、測定データが関連付けられる。
【００２６】
健康情報ＤＢ３４は、利用者ごとに、その利用者ＩＤに対応付けてヘルスケアスポットＨＳから受信した測定データを、その測定元となる健康機器ＶＤ１〜ＶＤｋの種別を表す情報（測定データの種類）と共に記憶するために使用される。
【００２７】
制御ユニット１はＣＰＵ（Central Processing Unit）を備え、この実施形態を実現する上で必要な制御機能として、利用申込受付制御部１１と、利用セッション管理制御部１２と、測定データ管理制御部１３を有している。これらの制御機能は、何れも図示しないプログラムメモリに格納されたプログラムを上記ＣＰＵに実行させることにより実現される。
【００２８】
利用申込受付制御部１１は、以下の処理機能を有している。  
(1) 利用者端末ＵＴ１〜ＵＴｎからヘルスケアスポットＨＳの利用申込要求メッセージを受信した場合に、この申込要求メッセージと共に受信した携帯電話番号をもとに利用者情報ＤＢ３１を検索し、要求元の利用者がＰＨＲサービスに対し利用登録済であるか否かを判定する処理。
【００２９】
(2) 上記利用申込要求メッセージと共に受信されるスポット番号をもとに、ヘルスケアスポット情報ＤＢ３２を検索して、利用するヘルスケアスポットＨＳを特定する処理。  
なお、スポット番号の代わりに、利用者が操作入力した住所、地域名、建物名或いはヘルスケアスポット名を表す情報を受信した場合には、ヘルスケアスポット情報ＤＢ３２を参照して、該当するヘルスケアスポットを特定し、さらにそのスポット番号を読み出す。また、利用者端末ＵＴ１〜ＵＴｎの位置情報を受信した場合には、この位置情報をもとにヘルスケアスポット情報ＤＢ３２を参照して、利用者の現在位置に対し最寄りのヘルスケアスポットＨＳを特定してそのスポット番号を読み出す。
【００３０】
(3) 上記(1) により利用者がＰＨＲサービスに対し登録済と判定された場合に、受付番号（エントリコード）を発行して申込要求元の利用者端末ＵＴ１〜ＵＴｎへ返送すると共に、当該受付番号を利用者の氏名を表す情報と共に、上記(2) により特定されたヘルスケアスポットＨＳに向け送信する処理。
【００３１】
利用セッション管理制御部１２は、上記利用申込要求を受付けたとき、当該一人の利用者による１つのヘルスケアスポットＨＳの利用状況を管理するために利用セッションを開設し、その情報を利用セッション情報記憶部３３で保持する。そして、当該利用者によるヘルスケアスポットＨＳの利用状況が変化するごとに、後述する受付端末ＲＴ及び測定用端末ＳＴ１〜ＳＴｍから送られる制御データに応じて上記利用セッション情報を更新し、当該利用者による１つのヘルスケアスポットＨＳの利用が終了した時点で当該利用セッションを解放（クローズ）する処理を行う。
【００３２】
測定データ管理制御部１３は、上記利用者によるヘルスケアスポットＨＳの利用期間において、後述する測定用端末ＳＴ１〜ＳＴｍから送られた測定データを利用者ＩＤに関連付けて健康情報ＤＢ３４に格納する処理を行う。また、ヘルスケアスポットＨＳの利用終了後、或いは利用者端末ＵＴ１〜ＵＴｎから閲覧要求を受信した場合に、該当する測定データを読み出して利用者端末ＵＴ１〜ＵＴｎへ送信する処理も行う。
【００３３】
（３）受付端末
受付端末ＲＴはパーソナル・コンピュータからなり、ヘルスケアスポットＨＳごとに、利用者によるヘルスケアスポットＨＳの利用申込状況と、健康機器ＶＤ１〜ＶＤｋの使用状況と、ＩＣカードＣＤの貸出状況をそれぞれ管理する機能を有する。また、ローカルエリアネットワーク（ＬＡＮ）ＮＷ３及び広域エリアネットワークＮＷ１を介してＰＨＲサーバＳＶとの間でデータ通信を行う機能を有する。ＩＣカードＣＤは、利用者がヘルスケアスポットＨＳを利用する際に貸し出されるもので、ヘルスケアスポットＨＳ内でユニークなカード番号が記憶されている。
【００３４】
図３は受付端末ＲＴの機能構成を示すブロック図である。受付端末ＲＴは、ＣＰＵを備えた制御ユニット４と、通信インタフェース５と、入出力インタフェース６と、記憶ユニット９を備えている。
【００３５】
通信インタフェース５は、ローカルエリアネットワークＮＷ３で規定された通信プロトコルに従い、ＰＨＲサーバＳＶとの間でデータの送受信を行う。入出力インタフェース６には、キーボード又はタッチパネル等からなる入力操作部７と、液晶表示器等を用いた表示部８が接続される。入出力インタフェース６は、上記入力操作部７において入力された操作情報を制御ユニット４に伝えると共に、制御ユニット４から出力された表示データを上記表示部８に表示させる機能を有する。
【００３６】
制御ユニット４は、この実施形態に係る制御機能として、申込状況管理制御部４１と、利用状況管理制御部４２を備えている。これらの制御機能は何れも図示しないプログラムメモリに格納されたプログラムを上記ＣＰＵに実行させることにより実現される。
【００３７】
申込状況管理制御部４１は、ＰＨＲサーバＳＶから受付番号（エントリコード）と利用者の氏名を表す情報が通知された場合に、当該利用者についてエントリ情報を生成してエントリリストに追加する。また、利用者により利用申込済みかキャンセルされた場合には、該当するエントリ情報にキャンセルされた旨を記述する。
【００３８】
利用状況管理制御部４２は、上記エントリ情報が登録されている利用者がヘルスケアスポットＨＳを訪れた場合に、当該利用者による健康機器ＶＤ１〜ＶＤｋの使用状況を管理するための情報を生成し、そのリストを利用状況記憶部９２に記憶させると共に表示部８に表示させる機能を有する。その際、上記使用状況を表す情報には、当該利用者に貸与されたＩＣカードＣＤのカード番号（カードＩＤ）を記述する。
【００３９】
記憶ユニット９には、申込状況記憶部９１と、利用状況記憶部９２が設けられている。申込状況記憶部９１は、上記申込状況管理制御部４１により作成されたエントリリストを記憶するために使用される。利用状況記憶部９２は、上記利用状況管理制御部４２により作成された健康機器ＶＤ１〜ＶＤｋの使用状況を表す情報のリストを記憶するために使用される。
【００４０】
（４）健康機器
健康機器ＶＤ１〜ＶＤｋは、例えば血圧計、体温計、歩数計、体重組成計、パルスオキシメータからなり、ＵＳＢケーブル等の有線データ転送ケーブル又は近距離無線ネットワークを介して、測定用端末ＳＴ１〜ＳＴｍに対し測定データを送信する機能を有している。近距離無線ネットワークとしては、例えばBluetooth（登録商標）等の小電力無線データ伝送規格を採用した無線ネットワークが用いられる。
【００４１】
（５）測定用端末
測定用端末ＳＴ１〜ＳＴｍとしては、例えばＬＡＮ用のターミナルアダプタ又はルータが用いられる。測定用端末ＳＴ１〜ＳＴｍは、上記健康機器ＶＤ１〜ＶＤｋから送信された計測データを、ローカルエリアネットワークＮＷ３及び広域エリアネットワーク（ＷＡＮ）ＮＷ１を介してＰＨＲサーバＳＶへ転送する機能を備える。
【００４２】
図４は、測定用端末ＳＴ１〜ＳＴｍの機能構成を示すブロック図である。測定用端末ＳＴ１〜ＳＴｍは、ＣＰＵを備えた制御ユニット１０と、通信インタフェース２０，４０と、カードリーダ３０を備えている。
【００４３】
通信インタフェース４０は、上記したBluetooth（登録商標）等の近距離無線ネットワークで規定されたプロトコルに従い、健康機器ＶＤ１〜ＶＤｋとの間でデータ通信を行う。通信インタフェース２０は、ローカルエリアネットワークＮＷ３で規定された通信プロトコルに従い、ＰＨＲサーバＳＶとの間でデータ伝送を行う。カードリーダ３０は、ＩＣカードＣＤに記憶されたカード番号を読取り、この読み取ったカード番号を制御ユニット１０に入力する。
【００４４】
制御ユニット１０は、この実施形態に係る制御機能として、測定データ転送制御部１０１と、測定受付処理部１０２を備えている。なお、これらの制御機能は何れも図示しないプログラムメモリに格納されたプログラムを上記ＣＰＵに実行させることにより実現される。
【００４５】
測定データ転送制御部１０１は、上記通信インタフェース２０，４０を制御することで、健康機器ＶＤ１〜ＶＤｋから送信された測定データをＰＨＲサーバＳＶへ転送する処理を行う。
【００４６】
測定受付処理部１０２は、カードリーダ３０においてＩＣカードＣＤが読み込まれたときに起動する。そして、カードリーダ３０から出力されたカード番号（カードＩＤ）を測定データ転送制御部１０１に通知し、このカード番号と制御ユニット１０内のメモリに予め記憶されている自己のヘルスケアスポットのスポット番号を、上記健康機器ＶＤ１〜ＶＤｋから送られた測定データと共にＰＨＲサーバＳＶへ送信させる処理を行う。
【００４７】
（動作）
次に、以上のように構成されたシステムの動作を説明する。なお、利用者情報ＤＢ３１にはＰＨＲサービスに対し利用登録を行った利用者に関する情報が、またヘルスケアスポット情報ＤＢ３２にはヘルスケアスポットＨＳに関する情報が記憶されているものとして説明を行う。
【００４８】
（１）ヘルスケアスポットＨＳの利用申込みとその受付け
利用者は、自身の利用者端末ＵＴ１を操作することで、ＰＨＲサーバＳＶに対しヘルスケアスポットＨＳの利用申込みを行う。図７にその操作手順と利用者端末ＵＴ１の動作の一例を示す。
【００４９】
先ず利用者が、利用者端末ＵＴ１において、ＳＩＭカードから読み出されたメインメニューが表示された状態でヘルスケアメニューを選択すると、図７（１）に示すようにヘルスケアメニューが表示される。この状態で、利用者が図７（２）に示すように「１．Visit Healthcarespot」を選択してＯＫボタンを押下すると、図７（３）に示すようにヘルスケアスポットの番号の入力画面が表示される。そして、この入力画面において、図７（４）に示すように訪問を希望するヘルスケアスポットの番号を入力してＯＫボタンを押下すると、図７（５）に示すように待受画面を模した画面が表示される。
【００５０】
この状態で、タイマに予め設定した時間が経過すると、図７（６）に示すようにＳＭＳ（Short Message Service）によるメッセージの受信報知動作が行われ、これと同時にバックグランドの処理によりＰＨＲサーバＳＶに向け利用申込要求メッセージがメールにより送信される。このとき、メールには上記利用申込要求メッセージと共に、自端末ＵＴ１の電話番号と、上記入力されたヘルスケアスポットの番号が挿入される。そして、利用者が任意のボタンを押下すると、図７（７）に示すようにＳＭＳの表示画面を模した、エントリ完了メッセージの表示画面が表示される。このとき、エントリ完了画面にはＰＨＲサーバＳＶが発行して受付番号（エントリコード）が表示される。
【００５１】
なお、以上の説明では、訪問するヘルスケアスポットＨＳのスポット番号を利用者自身が入力し、これを送信する場合について述べた。しかしそれに限らず、利用者が現在地又はヘルスケアスポットＨＳが存在する場所の住所、地名又は建物名を入力し、これを送信するようにしてもよい。さらに、利用者端末がＧＰＳセンサを備えている場合には、このＧＰＳセンサにより計測された現在地の位置情報をスポット番号の代わりに送信するようにしてもよい。位置情報としては、緯度経度データをそのまま送信してもよいし、予め記憶された地図データから検索した上記緯度経度に対応する住所、地名又は建物名を送信するようにしてもよい。
【００５２】
これに対しＰＨＲサーバＳＶは、利用者端末ＵＴ１から送信された利用申込要求メッセージを通信インタフェース２により受信すると、利用申込受付制御部１１を起動して以下のように利用申込受付け処理を行う。図５は利用申込受付け時のデータの流れとＰＨＲサーバＳＶの処理手順と処理内容を示すシーケンス図である。
【００５３】
すなわち、利用申込受付制御部１１は、先ずステップＳ１１において、利用申込要求メッセージと共に受信した携帯電話番号をもとに利用者情報ＤＢ３１を検索し、要求元の利用者がＰＨＲサービスに対し利用登録済であるか否かを判定する。そして、利用登録済であれば、ステップＳ１２で受付番号（エントリーコード）を発行して申込要求元の利用者端末ＵＴ１へ返送する。
【００５４】
受付番号（エントリーコード）は、数字と英文字とを組み合わせることで、利用セッション間でユニークさが保たれるように設定される。但し、受付番号（エントリーコード）単体で完全なユニークさを保持する必要はなく、最低限他の利用者による利用と混同しない程度でよい。例えば、この実施形態のシステムでは、後に受付端末ＲＴにおいて利用者に対しＩＣカードＣＤが貸与され、測定データがこのＩＣカードのカード番号及びヘルスケアスポットのスポット番号と関連付けられるので、少なくともヘルスケアスポットＨＳの受付端末ＲＴにおいて受付時に他の利用者と区別できるように設定すればよい。
【００５５】
また、ステップＳ１３において、利用セッション管理制御部１２の制御の下、上記利用者に対し利用セッションを開設する。このとき利用セッションには、上記発行された受付番号（エントリーコード）と、上記利用申込要求メッセージと共に受信したスポット番号と、利用者ＩＤと、受付時刻がセットされる。そして、上記受付番号（エントリーコード）と、利用者情報ＤＢ３１から読み出した利用者の氏名を表す情報を、上記スポット番号に対応するヘルスケアスポットに向けて通信インタフェース２から送信する。
【００５６】
なお、利用者端末ＵＴ１からスポット番号の代わりに、ヘルスケアスポット名、その住所、地名又は建物名、或いは現在地の緯度経度が送られた場合には、ヘルスケアスポット情報ＤＢ３２をもとに該当するヘルスケアスポット或いは現在地から最寄りのヘルスケアスポットのスポット番号を検索し、この検索されたスポット番号を利用セッションにセットした後、上記受付番号（エントリーコード）を対応するヘルスケアスポットＨＳに向け送信すればよい。
【００５７】
これに対しヘルスケアスポットＨＳの受付端末ＲＴは、ＰＨＲサーバＳＶから送信された受付番号と利用者の氏名を表す情報が通信インタフェース５で受信されると、ステップＳ１４により申込状況管理制御部４１を起動する。そして、この申込状況管理制御部４１の制御の下、利用者のエントリ情報を作成して申込状況記憶部９１に記憶させ、さらに表示部８に表示させる。
【００５８】
例えば、いま「Robinai」さんが利用者端末から利用申込みを送信し、それに応じてＰＨＲサーバＳＶから受付番号（エントリーコード）「9876-ABCD-34」と利用者名「Robinai」が送られたとする。この場合、図８に示すようにこれらの受付番号「9876-ABCD-34」と利用者名「Robinai」が、受付時刻と、当該申込の状態を表すステータス情報と共に、新たなエントリ情報として申込状況記憶部９１に追加記憶され、さらに表示画面上のエントリリスト５１に表示される。
【００５９】
（２）ヘルスケアスポットにおける利用者の受付け
利用者がヘルスケアスポットＨＳを訪れ、受付端末ＲＴにおいて受付操作を行ったとする。この受付操作は、例えば図９に示すようにエントリリストから利用者の氏名又は受付番号（エントリコード）を探し、該当するエントリ情報を選択することによりなされる。なお、利用者の利用者端末の表示画面に受付番号（エントリコード）を表すバーコード又はＱＲコード（登録商標）等を表示させ、このコードを受付端末ＲＴにおいて読み取って申込状況記憶部９１に格納されたエントリリストと照合することにより利用者を認識するようにしてもよい。このようにすると、利用者は受付端末ＲＴに表示されたエントリリストにより自身の氏名を確認する必要がなくなるので、利用申込みの受付時においてＰＨＲサーバＳＶからヘルスケアスポットＨＳの受付端末ＲＴへは、受付番号（エントリコード）のみを通知すればよく、利用者の氏名を表す情報の通知は不要となる。
【００６０】
次に、ヘルスケアスポットＨＳの受付担当者が、上記エントリが確認された利用者に対し利用カード（ＩＣカード）を貸し出し、図１０に示すように受付端末ＲＴのＩＣカードリスト５３において対応するカード番号を選択したとする。そうすると、受付端末ＲＴは図６に示すようにステップＳ２１において、上記選択された利用カード（ＩＣカード）のカード番号を認識する。
【００６１】
そして、受付担当者が受付端末ＲＴのスタートボタン５４を押下すると、ステップＳ２２において、上記選択されたエントリ情報と上記カード番号をもとに当該利用者による健康機器ＶＤ１〜ＶＤｋの使用状況を管理するための情報を生成する。そして、この生成された使用状況の管理情報を利用状況記憶部９２に保存すると共に、表示部８に表示されている利用状況リスト（ユーザリスト）５２に追加表示する。
【００６２】
図１１はこのときの表示画面の表示例を示すもので、利用状況リスト（ユーザリスト）５２にカード番号「１」を使用する「Robinai」さんの管理情報が表示される。なお、それまでエントリリストに表示されていた「Robinai」さんのエントリ情報は消去される。利用状況管理情報には、図１１に示すようにカード番号（カードＩＤ）が表示されると共に、ステータス情報として「測定中」（measurement）が表示される。  
図１２は「Robinai」さんの測定中に、それまで測定中だった「kibaki」さんが測定を終了した時の表示画面の表示例を示すもので、「kibaki」さんの利用状況管理情報のステータス情報は「終了」（finished）となり、またカード番号は消去される。
【００６３】
また受付端末ＲＴ１は、上記スタートボタン５４が押下されると、利用状況管理制御部４２の制御の下、測定開始通知メッセージを図６に示すように当該利用者の受付番号と、自己のヘルスケアスポットＨＳのスポット番号と、上記利用カードのカード番号と共にＰＨＲサーバＳＶに向け送信する。
【００６４】
これに対しＰＨＲサーバＳＶは、通信インタフェース２により上記測定開始通知メッセージを受信すると、利用セッション管理制御部１２の制御の下、ステップＳ２３により、上記測定開始通知と共に受信した受付番号及びスポット番号をキーに該当する利用セッション情報を選択する。そして、この選択された利用セッション情報にカード番号及び測定開始時刻をセットする。
【００６５】
（３）健康情報の測定
利用者は、所望の健康機器ＶＤ１を使用して測定を行う場合、貸与されたＩＣカードＣＤを当該健康機器ＶＤ１に対応する測定用端末ＳＴ１のカードリーダ３０に読み込ませる。測定用端末ＳＴ１は、ステップＳ３１において、測定受付処理部１０２の制御の下、上記カードリーダ３０により読み込まれたカード番号を保持する。そして、以後対応付けられた健康機器ＶＤ１からの測定データの送信を待受ける。
【００６６】
この状態で、利用者が健康機器ＶＤ１において健康情報を測定し、その測定データが健康機器ＶＤ１から送信されたとする。そうすると測定用端末ＳＴ１は、測定データ転送制御部１０１の制御の下で、上記測定データを通信インタフェース４０で受信し、この受信された測定データを、スポット番号と、上記保持されたカード番号と共に、通信インタフェース２０からＰＨＲサーバＳＶへ送信する。
【００６７】
ＰＨＲサーバＳＶは、上記測定用端末ＳＴ１から送信された測定データを、測定データ管理制御部１３の制御の下で通信インタフェース２により受信する。そして、測定データが受信されると、利用セッション管理制御部１２の制御の下、ステップＳ３２により上記受信された利用カード番号及びスポット番号をキーに対応する利用セッション情報を選択し、この選択された利用セッション情報に上記受信された測定データを一時保存する。そしてステップＳ３３により、上記一時保存された測定データを該当する利用者ＩＤと対応付けて健康情報ＤＢ３４に格納する。
【００６８】
以後同様に、利用者が異なる健康機器ＶＤ２〜ＶＤｋを選択して測定を行うごとに、その測定データが対応する測定用端末ＳＴ２〜ＳＴｍで中継されてＰＨＲサーバＳＶへ転送され、ＰＨＲサーバＳＶで受信蓄積される。なお、何れの健康機器ＶＤ２〜ＶＤｋを使用した場合でも、測定用端末ＳＴ２〜ＳＴｍではスポット番号及びカード番号が測定データと関連付けられてＰＨＲサーバＳＶへ送信される。また、ＰＨＲサーバＳＶでは、利用者に対応する利用セッション情報を用いて測定データの受信管理がなされる。
【００６９】
（４）測定の終了
利用者が測定を終了してＩＣカードＣＤを返却すると、受付担当者は受付端末ＲＴにおいて、ユーザリスト５２に表示されている該当する利用者の管理情報を選択すると共に、返却されたＩＣカードのカード番号「１」を選択し、終了ボタン５５を押下する。そうすると受付端末ＲＴは、利用状況管理制御部４２の制御の下、ステップＳ３４で上記操作を受付けたのち、ステップＳ３５により該当する利用者の利用状況管理情報を更新する。例えば、図１４に示すように「Rbinai」さんの管理情報のステータス情報を「終了」（finished）に変更し、またカード番号を消去する。
【００７０】
また受付端末ＲＴは、上記終了ボタン５５が押下されると、申込状況管理制御部４１の制御の下で終了通知メッセージを受付番号及びスポット番号と共に通信インタフェース５からＰＨＲサーバＳＶへ送信する。なお、このときカード番号を共に送信するようにしてもよい。
【００７１】
ＰＨＲサーバＳＶは、通信インタフェース２により上記終了通知メッセージを受信すると、利用セッション管理制御部１２の制御の下、ステップＳ３６により、上記終了通知メッセージと共に受信した受付番号及びスポット番号をキーに該当する利用セッション情報を選択する。そして、この選択された利用セッション情報を解放（クローズ）する。したがって、受付番号は無効となり、以後この受付番号をキーに利用者の測定データを検索することは不可能となる。なお、利用セッション情報自体は消去せずに利用セッション情報記憶部３３又はその他の記憶媒体に保存しておき、特別な認証手続きを経た後読み出して監査業務等に利用できるようにしてもよい。
【００７２】
（５）測定データの閲覧
利用者は、自身の利用者端末ＵＴ１を操作することで、ＰＨＲサーバＳＶに蓄積された自身の測定データを閲覧することができる。
【００７３】
利用者端末ＵＴ１において、利用者がメニューから閲覧を選択すると、閲覧要求メッセージが携帯電話番号と共にＰＨＲサーバＳＶへ送信される。ＰＨＲサーバＳＶは、利用者端末ＵＴ１から送信された閲覧要求メッセージを通信インタフェース２により受信すると、測定データ管理制御部１３の制御の下、上記閲覧要求メッセージと共に受信した携帯電話番号をもとに利用者情報ＤＢ３１を検索し、要求元の利用者の利用者ＩＤを読み出す。そして、この読み出された利用者ＩＤをもとに健康情報ＤＢ３４を検索して該当する測定データを読み出し、この読み出された測定データを要求元の利用者端末ＵＴ１へ通信インタフェース２からメールにより送信する。かくして、利用者は自身の利用者端末ＵＴ１において、計測データを確認することが可能となる。
【００７４】
なお、上記閲覧要求に際しては、利用者端末ＵＴ１からパスワード等の認証データも併せて送信し、ＰＨＲサーバＳＶで認証を行って本人が確認された場合に閲覧要求を受付けるようにしてもよい。
【００７５】
（効果）
以上詳述したようにこの実施形態では、利用者端末ＵＴ１〜ＵＴｎからＰＨＲサーバＳＶに対し所望のヘルスケアスポットＨＳに対する利用申込を行うと、ＰＨＲサーバＳＶが受付番号を発行して、この受付番号を要求元の利用者端末に返送すると共に、上記ヘルスケアスポットＨＳの受付端末ＲＴへ通知する。受付端末ＲＴは、上記受付番号を含むエントリ情報を生成してエントリリストで管理し、ヘルスケアスポットＨＳを訪れた利用者について上記エントリ情報をもとに受付けの可否を判断したのち、可能ならば利用カードＣＤを貸し出し、そのカード番号を上記受付番号とヘルスケアスポットのスポット番号と共にＰＨＲサーバＳＶへ返送する。またヘルスケアスポットＨＳは、健康機器ＶＤ１〜ＶＤｋから出力された利用者の測定データを、上記カード番号及びスポット番号と共に、測定用端末ＳＴ１〜ＳＴｍによりＰＨＲサーバＳＶへ中継転送する。ＰＨＲサーバＳＶは、上記利用申込を受付けたときに利用セッション開設する。そして、上記受付け端末ＲＴから通知されたカード番号を受付番号及びスポット番号と関連付けて上記利用セッションで管理し、その後測定用端末ＳＴ１〜ＳＴｍから測定データが送られたとき、この測定データと共に送られたカード番号及びスポット番号をもとに上記利用セッションを特定して、この利用セッションに測定データを保存する。そして、受付け端末ＲＴから終了通知が送られた場合に上記利用セッシヨンを解放するようにしている。
【００７６】
したがって、測定データはカード番号とスポット番号と関連付けられて伝送されることになり、測定データの伝送に際し利用者を特定する利用者ＩＤや受付番号が漏洩する心配がない。しかも、ＰＨＲサーバＳＶでは、一人の利用者による１つのヘルスケアスポットの利用に対し開設された利用セッションにより受付番号、カード番号、スポット番号、利用者ＩＤが関連付けられた状態で管理されるため、上記測定データを利用者ＩＤや受付番号を用いずに受信しても、当該測定データを利用者の受付番号及び利用者ＩＤと関連付けた状態で確実に管理することができる。
【００７７】
さらに、利用者によるヘルスケアスポットＨＳの利用が終了し、その旨が受付端末ＲＴからＰＨＲサーバＳＶに通知されると、対応する利用セッションがクローズされ、受付番号が無効化される。このため、たとえ受付端末ＲＴにおいて利用者の受付番号が盗み見られても、この受付番号を使用して当該利用者の測定データが他者により閲覧される心配はない。
【００７８】
［他の実施形態］
前記実施形態ではＰＨＲサーバＳＶ内に記憶ユニット３を設けた場合を例にとって説明したが、記憶ユニット３をＰＨＲサーバＳＶとは独立する蓄積サーバに設け、これらのサーバ間をＷＡＮやＬＡＮ（Local Area Network）等のネットワークを介して接続するようにしてもよい。
【００７９】
また、健康機器に通信インタフェース機能を備えることで、ＰＨＲサーバへ測定データを直接伝送するようにしてもよい。このようにすれば測定用端末は不要にすることができる。その他、ＰＨＲサーバの構成やその処理手順及び処理内容、受付端末の種類やその処理手順と処理内容等についても、この発明の要旨を逸脱しない範囲で種々変形して実施可能である。
【００８０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００８１】
ＳＶ…ＰＨＲサーバ、ＵＴ１〜ＵＴｎ…利用者端末、ＨＳ…ヘルスケアスポット、ＲＴ…受付端末、ＶＤ１〜ＶＤｋ…健康機器、ＳＴ１〜ＳＴｍ…測定用端末、ＮＷ１…広域エリアネットワーク（ＷＡＮ）、ＮＷ２…モバイルネットワーク、ＮＷ３…ローカルエリアネットワーク（ＬＡＮ）、ＣＤ…ＩＣカード、１，４，１０…制御ユニット、２，５，２０，４０…通信インタフェース、３，９…記憶ユニット、６…入出力インタフェース、７…入力操作部、８…表示部、１１…利用申込受付制御部、１２…利用セッション管理制御部、１３…測定データ管理制御部、３０…カードリーダ、３１…利用者情報データベース（利用者情報ＤＢ）、３２…ヘルスケアスポット情報データベース（ヘルスケアスポット情報ＤＢ）、３３…利用セッション情報記憶部、３４…健康情報データベース（健康情報ＤＢ）、４１…申込状況管理制御部、４２…利用状況管理制御部、９１…申込状況記憶部、９２…利用状況記憶部、１０１…測定データ転送制御部、１０２…測定受付処理部。
【図１】
2014215688.tif 000003
【図２】
2014215688.tif 000004
【図３】
2014215688.tif 000005
【図４】
2014215688.tif 000006
【図５】
2014215688.tif 000007
【図６】
2014215688.tif 000008
【図７】
2014215688.tif 000009
【図８】
2014215688.tif 000010
【図９】
2014215688.tif 000011
【図１０】
2014215688.tif 000012
【図１１】
2014215688.tif 000013
【図１２】
2014215688.tif 000014
【図１３】
2014215688.tif 000015
【図１４】
2014215688.tif 000016